(57)【要約】【課題】利用者の生活における音環境をデータベースから選択すること。利用者に、自身と同様の音環境で生活している他の利用者とコミュニケーションを取らせること。【解決手段】音声情報データベース１２０から、利用者情報取得部１０１、位置取得部１０２および期間取得部１０３によって取得された利用者の固有情報、利用者の現在地点の位置情報、および現在地点に利用者が位置している期間に関連付けられた音声情報を音声選択部１０４によって選択する。また、検索部１０５によって同様の音声情報が音声情報データベース１２０から選択された他の利用者を検索し、送信部１０６によって他の利用者に関する情報を表示させるための表示情報を出力装置１３０に送信する。さらに、受付部１０７によって、他の利用者のうちの通信をおこないたい通信者の選択を利用者から受け付けた場合、接続部１０８によって通信者と利用者との通信を接続する。【選択図】図１
2010198501.tif 000002
【特許請求の範囲】
【請求項１】
複数の利用者に対して、各地点において各利用者が外部から遮音されていない状況の際に聴取可能な音声情報をジャンル毎に記録する音声情報データベースから出力装置に出力させる音声情報を選択する音声情報選択装置であって、
前記利用者の固有情報を取得する利用者情報取得手段と、
前記利用者の現在地点の位置情報を取得する位置取得手段と、
前記位置取得手段によって取得された現在地点に前記利用者が位置している期間を取得する期間取得手段と、
前記音声情報データベースから、前記利用者の固有情報、当該利用者の現在地点の位置情報および前記期間取得手段によって取得された期間に関連付けられた音声情報を選択する音声選択手段と、
を備えることを特徴とする音声情報選択装置。
【請求項２】
前記期間取得手段は、前記利用者が１日の間に位置している全地点に対して各地点に位置している期間を取得し、
前記音声選択手段は、前記利用者が各地点に位置している期間に関連付けられた音声情報を取得することを特徴とする請求項１に記載の音声情報選択装置。
【請求項３】
前記音声選択手段によって選択された音声情報と同様の音声情報が前記音声情報データベースから選択された他の利用者を検索する検索手段と、
前記出力装置に、前記検索手段によって検索された前記他の利用者に関する情報を表示させるための表示情報を送信する送信手段と、
をさらに備えることを特徴とする請求項１または２に記載の音声情報選択装置。
【請求項４】
前記検索手段は、前記音声選択手段によって選択された音声情報と同様の音声情報が選択された期間に前記他の利用者が位置していた地点の位置情報を検索し、
前記送信手段は、前記出力装置の表示部に表示された地図情報上に、前記検索手段によって検索された位置情報に基づいて、前記同様の音声情報が選択された期間に前記他の利用者が位置していた地点を表示させるための表示情報を送信することを特徴とする請求項２に記載の音声情報選択装置。
【請求項５】
前記出力装置の表示部に表示された前記他の利用者のうちの、通信をおこないたい通信者の選択を前記利用者から受け付ける受付手段と、
前記受付手段によって受け付けられた前記通信者との通信を接続する接続手段と、
をさらに備えることを特徴とする請求項２または３に記載の音声情報選択装置。
【請求項６】
複数の前記利用者の、前記音声選択手段によって選択された音声情報を集計する集計手段と、
前記集計手段によって集計された音声情報に基づいて、各利用者のライフスタイルを分析する分析手段と、
をさらに備えることを特徴とする請求項１または２に記載の音声情報選択装置。
【請求項７】
前記分析手段によって分析された分析結果に基づいて、前記利用者の健康状態の管理をおこなう管理手段と、
をさらに備えることを特徴とする請求項６に記載の音声情報選択装置。
【請求項８】
複数の利用者に対して、各地点において各利用者が外部から遮音されていない状況の際に聴取可能な音声情報をジャンル毎に記録する音声情報データベースから出力装置に出力させる音声情報を選択する音声情報選択装置における音声情報選択方法であって、
前記利用者の固有情報を取得する利用者情報取得工程と、
前記利用者の現在地点の位置情報を取得する位置取得工程と、
前記位置取得工程によって取得された現在地点に前記利用者が位置している期間を取得する期間取得工程と、
前記音声情報データベースから、前記利用者の固有情報、当該利用者の現在地点の位置情報および前記期間取得工程によって取得された期間に関連付けられた音声情報を選択する音声選択工程と、
を含むことを特徴とする音声情報選択方法。
【請求項９】
請求項８に記載の音声情報選択方法をコンピュータに実行させることを特徴とする音声情報選択プログラム。
【請求項１０】
請求項９に記載の音声情報選択プログラムを記録したことを特徴とするコンピュータに読み取り可能な記録媒体。
【発明の詳細な説明】
【技術分野】
【０００１】
この発明は、利用者の生活における音環境をデータベースから選択することができる音声情報選択装置、音声情報選択方法、音声情報選択プログラムおよび記録媒体に関する。ただし、この発明の利用は、上述した音声情報選択装置、音声情報選択方法、音声情報選択プログラムおよび記録媒体には限られない。
【背景技術】
【０００２】
従来、人の体重によって床面に加わる圧力をセンシングして足跡情報を取得し、ネットワーク上の他のコミュニケーション端末に対して足跡情報を送信する機能と、他のコミュニケーション端末から送信された圧力強度分布を含む足跡情報を受信し、圧力強度分布情報にデータ変換を加え、抽象化した画像を表示する機能とを有するコミュニケーション端末が提案されている（たとえば、下記特許文献１参照。）。
【０００３】
そして、管理サーバによって、これらのコミュニケーション端末間通信と、複数のコミュニケーション端末に提供するサービスを管理し、足跡情報の発信元コミュニケーション端末と宛先コミュニケーション端末とのルーティング経路を管理する。このようなコミュニケーション端末および管理サーバによって、互いに遠隔地に存在している人と人との間で、足跡という人間の行動履歴の一部を共有することによって、人の持つ想像力を十分に活用したお互いのコミュニケーション環境を豊かにする。
【先行技術文献】
【特許文献】
【０００４】
【特許文献１】特開２００５−３３３５３９号公報
【発明の概要】
【発明が解決しようとする課題】
【０００５】
ここで、生活環境が同様の相手は、自身と気が合う可能性が高く、普段の生活における音環境が同様の相手は、たとえばライフスタイルが異なっていても自身と同様の感覚を持っている可能性が高いと考えられる。しかしながら、上述した特許文献１の技術では、足跡情報によって遠隔地に位置している相手の存在を認識することはできるが、相手の生活環境や音環境がわからないため、自身と気の合う相手を探すことができないという問題がある。
【課題を解決するための手段】
【０００６】
上述した課題を解決し、目的を達成するため、請求項１の発明にかかる音声情報選択装置は、複数の利用者に対して、各地点において各利用者が外部から遮音されていない状況の際に聴取可能な音声情報をジャンル毎に記録する音声情報データベースから出力装置に出力させる音声情報を選択する音声情報選択装置であって、前記利用者の固有情報を取得する利用者情報取得手段と、前記利用者の現在地点の位置情報を取得する位置取得手段と、前記位置取得手段によって取得された現在地点に前記利用者が位置している期間を取得する期間取得手段と、前記音声情報データベースから、前記利用者の固有情報、当該利用者の現在地点の位置情報および前記期間取得手段によって取得された期間に関連付けられた音声情報を選択する音声選択手段と、を備えることを特徴とする。
【０００７】
また、請求項８の発明にかかる音声情報選択方法は、複数の利用者に対して、各地点において各利用者が外部から遮音されていない状況の際に聴取可能な音声情報をジャンル毎に記録する音声情報データベースから出力装置に出力させる音声情報を選択する音声情報選択装置における音声情報選択方法であって、前記利用者の固有情報を取得する利用者情報取得工程と、前記利用者の現在地点の位置情報を取得する位置取得工程と、前記位置取得工程によって取得された現在地点に前記利用者が位置している期間を取得する期間取得工程と、前記音声情報データベースから、前記利用者の固有情報、当該利用者の現在地点の位置情報および前記期間取得工程によって取得された期間に関連付けられた音声情報を選択する音声選択工程と、を含むことを特徴とする。
【０００８】
また、請求項９の発明にかかる音声情報選択プログラムは、請求項８に記載の音声情報選択方法をコンピュータに実行させることを特徴とする。
【０００９】
また、請求項１０の発明にかかる記録媒体は、請求項９に記載の音声情報選択プログラムをコンピュータに読み取り可能な状態で記録したことを特徴とする。
【図面の簡単な説明】
【００１０】
【図１】本実施の形態にかかる音声情報選択装置の機能的構成を示すブロック図である。
【図２】音声情報選択装置の音声情報選択処理手順を示すフローチャートである。
【図３】本実施例にかかる通信システムの概要について示す説明図である。
【図４】本実施例にかかるサーバのハードウェア構成を示すブロック図である。
【図５】本実施例にかかる端末のハードウェア構成を示すブロック図である。
【図６】サーバの処理の内容の一例を示すフローチャートである。
【図７】サーバの処理の内容の他の一例を示すフローチャートである。
【図８】環境音ＤＢの一例について示す説明図である。
【図９】利用者と同様の音声情報が選択された他の利用者に関する情報の表示の一例について示す説明図である。
【発明を実施するための形態】
【００１１】
以下に添付図面を参照して、この発明にかかる音声情報選択装置、音声情報選択方法、音声情報選択プログラムおよび記録媒体の好適な実施の形態を詳細に説明する。
【００１２】
（実施の形態）
（音声情報選択装置の機能的構成）
まず、この発明の実施の形態にかかる音声情報選択装置１００の機能的構成について説明する。図１は、本実施の形態にかかる音声情報選択装置の機能的構成を示すブロック図である。
【００１３】
図１において、音声情報選択装置１００は、利用者情報取得部１０１と、位置取得部１０２と、期間取得部１０３と、音声選択部１０４と、検索部１０５と、送信部１０６と、受付部１０７と、接続部１０８と、集計部１０９と、分析部１１０と、管理部１１１と、を備えている。ここで、音声情報選択装置１００は、複数の利用者に対して、各地点において各利用者が外部から遮音されていない状況の際に聴取可能な音声情報をジャンル毎に記録する音声情報データベース１２０から出力装置１３０に出力させる音声情報を選択して、出力装置１３０に送信する。
【００１４】
また、音声情報データベース１２０に記録された音声情報のジャンルは、鳥や虫の声に関する音声情報、車両の往来音に関する音声情報、人の往来音に関する音声情報、子供の登下校に関する音声情報または雨や風に関する音声情報などである。具体的には、鳥や虫の声に関する音声情報は、たとえば鳥や虫などの各種類に対しての生態系、およびそれぞれの鳥や虫の季節や時刻に応じた鳴き声に関する情報である。車両の往来音に関する音声情報は、たとえば幹線道路などの比較的交通量の多い道路の位置情報、およびそれぞれの道路の曜日や時刻に応じた交通量に関する情報である。人の往来音に関する音声情報は、たとえば商店街の位置情報、および曜日や時刻に応じた人の多さに関する情報である。子供の登下校に関する音声情報は、たとえば通学路に関する位置情報、および登下校の時刻に関する情報である。
【００１５】
利用者情報取得部１０１は、利用者の固有情報を取得する。利用者の固有情報は、たとえば利用者の趣味や嗜好に関する情報、または利用者の家族構成に関する情報、利用者の心理状態に関する情報である。また、利用者情報取得部１０１は、利用者からの入力によって固有情報を取得してもよい。具体的には、たとえば車両の往来音は出力させないなどの入力を受け付ける。
【００１６】
位置取得部１０２は、利用者の現在地点の位置情報を取得する。位置取得部１０２は、たとえば出力装置１３０の備えるＧＰＳ（Ｇｌｏｂａｌ  Ｐｏｓｉｔｉｏｎｉｎｇ  Ｓｙｓｔｅｍ）ユニットなどによって受信されたＧＰＳ衛星からの測位情報を出力装置１３０から受信することによって、地図データ上の利用者の現在地点を特定する。
【００１７】
期間取得部１０３は、位置取得部１０２によって取得された現在地点に利用者が位置している期間を取得する。また、期間取得部１０３は、利用者が１日の間に位置している全地点に対して各地点に位置している期間を取得してもよい。すなわち、位置取得部１０２によって常に利用者の現在地点の位置情報を取得し、期間取得部１０３によってそれぞれの地点に位置していた期間を取得してもよい。期間には、利用者が各地点に位置していた日時に関する情報が含まれていてもよい。
【００１８】
音声選択部１０４は、音声情報データベース１２０から、利用者の固有情報、利用者の現在地点の位置情報および期間取得部１０３によって取得された期間に関連付けられた音声情報を選択する。音声選択部１０４は、期間取得部１０３によって利用者が１日の間に位置している全地点に対して各地点に位置している期間を取得した場合、利用者が各地点に位置している期間に関連付けられた音声情報を取得する。したがって、各利用者の生活における音環境が選択される。
【００１９】
さらに、音声選択部１０４は、音声情報データベース１２０から、現在の日時や現在の天気に関連付けられた音声情報を選択してもよい。また、音声選択部１０４は、音声情報データベース１２０から、利用者の現在地点が含まれる地域に関連付けられた音声情報を選択してもよい。この場合、音声選択部１０４は、利用者の現在地点が含まれる地域に関連付けられた音声情報を、利用者の現在地点において利用者が外部から遮音されていない状況で聴取不可能な音声情報であっても選択してよい。
【００２０】
また、音声選択部１０４は、音声情報データベース１２０から、利用者の固有情報に応じて、利用者が催事を好む場合、利用者の現在地点においては聴取不可能な音声情報であっても、地域内で開催される催事に関する音声情報を選択してもよい。また、たとえば利用者に子供がいる場合、利用者の現在地点が、子供が在籍する学校の通学路の近傍ではなくても、子供の登下校に関する音声情報を選択してもよい。
【００２１】
検索部１０５は、音声選択部１０４によって選択された音声情報と同様の音声情報が音声情報データベース１２０から選択された他の利用者を検索する。したがって、利用者と同様の音環境で生活している他の利用者を検索することができる。また、検索部１０５は、音声選択部１０４によって選択された音声情報と同様の音声情報が選択された期間に他の利用者が位置していた地点の位置情報を検索する。したがって、利用者と同様の音環境で生活している他の利用者の位置がわかる。
【００２２】
送信部１０６は、出力装置１３０に、検索部１０５によって検索された他の利用者に関する情報を表示させるための表示情報を送信する。ここで、表示情報は、具体的には、たとえば、出力装置１３０の有する表示部を制御するための情報である。出力装置１３０の有する表示部へ、他の利用者に関する情報の一覧を表示させてもよい。また、送信部１０６は、出力装置１３０の表示部に表示された地図情報上に、検索部１０５によって検索された位置情報に基づいて、利用者と同様の音声情報が選択された期間に他の利用者が位置していた地点を表示させるための表示情報を送信する。これによって、利用者は、出力装置１３０の有する表示部に表示された地図情報上に、利用者と同様の音環境で生活している他の利用者の位置を表示させることができる。
【００２３】
受付部１０７は、出力装置１３０の表示部に表示された他の利用者のうちの、通信をおこないたい通信者の選択を利用者から受け付ける。具体的には、たとえば表示装置１３０に表示された地図情報上の他の利用者が位置していた地点を押下された場合に、この地点に位置していた他の利用者の選択を受け付ける。
【００２４】
接続部１０８は、受付部１０７によって受け付けられた通信者との通信を接続する。通信者は、一人でもよいし複数人でもよい。また、接続部１０８は、通信者との通信を、具体的には、たとえばインターネットを介して接続する。
【００２５】
集計部１０９は、複数の利用者の、音声選択部１０４によって選択された音声情報を集計する。集計部１０９は、たとえば、任意の利用者の、音声選択部１０４によって選択された音声情報を集計してもよいし、同一の企業に勤務する社員の、音声選択部１０４によって選択された音声情報を集計してもよい。
【００２６】
分析部１１０は、集計部１０９によって集計された音声情報に基づいて、各利用者のライフスタイルを分析する。また、分析部１１０は、たとえば利用者の性別、年齢別、家族構成、居住地域などに応じて分析することで、市場調査に用いる情報を生成することができる。
【００２７】
管理部１１１は、分析部１１０によって分析された分析結果に基づいて、利用者の健康状態の管理をおこなう。管理部１１１は、たとえば同一の企業に勤務する複数の社員の健康状態を管理することができる。健康状態の管理は、具体的には、たとえば、健康を害している利用者同士の音環境における共通点を抽出したり、健康を害していたときの音環境と類似の音環境の利用者を抽出したりすることで管理する。
【００２８】
（音声情報選択装置の音声情報選択処理手順）
つぎに、音声情報選択装置１００の音声情報選択処理手順について説明する。図２は、音声情報選択装置の音声情報選択処理手順を示すフローチャートである。図２のフローチャートにおいて、まず、利用者情報取得部１０１によって利用者の固有情報を取得する（ステップＳ２０１）。
【００２９】
つぎに、位置取得部１０２によって利用者の現在地点の位置情報を取得する（ステップＳ２０２）。そして、期間取得部１０３によって、ステップＳ２０２において取得された現在地点に利用者が位置している期間を取得する（ステップＳ２０３）。つぎに、音声選択部１０４によって、音声情報データベース１２０から、ステップＳ２０１において取得された利用者の固有情報、ステップＳ２０２において取得された利用者の現在地点の位置情報、およびステップＳ２０３において取得された利用者が位置している期間に関連付けられた音声情報を選択する（ステップＳ２０４）。
【００３０】
つぎに、検索部１０５によって、ステップＳ２０４において選択された音声情報と同様の音声情報が音声情報データベース１２０から選択された他の利用者を検索する（ステップＳ２０５）。そして、送信部１０６によって、出力装置１３０に、ステップＳ２０５において検索された他の利用者に関する情報を表示させるための表示情報を送信する（ステップＳ２０６）。
【００３１】
つぎに、受付部１０７によって、ステップＳ２０６において送信された表示情報に基づいて、出力装置１３０の表示部に表示された他の利用者のうちの、通信をおこないたい通信者の選択を前記利用者から受け付けたか否かを判断する（ステップＳ２０７）。ステップＳ２０７において通信者の選択を受け付けない場合（ステップＳ２０７：Ｎｏ）、そのまま一連の処理を終了する。一方、ステップＳ２０７において通信者の選択を受け付けた場合（ステップＳ２０７：Ｙｅｓ）、接続部１０８によって、ステップＳ２０７において受け付けられた通信者との通信を接続して（ステップＳ２０８）、一連の処理を終了する。
【００３２】
なお、図２のフローチャートにおいては、集計部１０９によって、ステップＳ２０４において選択された複数の利用者の音声情報を集計してもよい。そして、分析部１１０によって、集計された音声情報に基づいて、各利用者のライフスタイルを分析してもよい。さらに、分析部１１０によって分析された分析結果に基づいて、管理部１１１によって利用者の健康状態の管理をおこなってもよい。
【００３３】
また、図２のフローチャートにおいては、ステップＳ２０２において利用者の現在地点を取得し、ステップＳ２０３において利用者が位置している期間を取得するとしているが、これに限るものではない。具体的には、たとえば、ステップＳ２０２において利用者が１日の間に位置している全地点の位置情報を取得し、ステップＳ２０３において利用者が各地点に位置している期間を取得してもよい。この場合、ステップＳ２０４においては、利用者が各地点に位置している期間に関連付けられた音声情報を取得してもよい。
【００３４】
また、図２のフローチャートにおいては、ステップＳ２０５において、利用者が選択された音声情報と同様の音声情報が音声情報データベース１２０から選択された他の利用者を検索するとしているが、これに限るものではない。具体的には、たとえば、ステップＳ２０５においては、利用者が選択された音声情報と同様の音声情報が選択された期間に他の利用者が位置していた地点の位置情報を検索してもよい。この場合、ステップＳ２０６においては、出力装置１３０の表示部に表示された地図情報上に、ステップＳ２０５において検索された位置情報に基づいて、同様の音声情報が選択された期間に他の利用者が位置していた地点を表示させるための表示情報を送信してもよい。
【００３５】
また、図２のフローチャートにおいては、ステップＳ２０４において音声情報データベース１２０から、利用者の現在地点が含まれる地域に関連付けられた音声情報を、利用者の現在地点において利用者が外部から遮音されていない状況で聴取不可能な音声情報であっても選択してよい。
【００３６】
上述したように、本実施の形態の音声情報選択装置１００によれば、音声選択部１０４によって、音声情報データベース１２０から、利用者情報取得部１０１によって取得された利用者の固有情報、位置取得部１０２によって取得された利用者の現在地点の位置情報および期間取得部１０３によって取得された現在地点に利用者が位置している期間に関連付けられた音声情報を選択することができる。したがって、たとえば利用者の家族構成や利用者の趣味・嗜好により、同じ地点に同じ期間位置していても利用者によって選択する音声情報を変更することができる。これによって、利用者毎のユニークな環境音を選択することができる。
【００３７】
また、本実施の形態の音声情報選択装置１００によれば、期間取得部１０３によって、利用者が１日の間に位置している全地点に対して各地点に位置している期間を取得し、音声選択部１０４によって、利用者が各地点に位置している期間に関連付けられた音声情報を取得することができる。したがって、各利用者の一日の生活に則した環境音を選択することができる。これによって、各利用者の生活における環境音を選択することができる。
【００３８】
また、本実施の形態の音声情報選択装置１００によれば、音声選択部１０４によって選択された音声情報と同様の音声情報が音声情報データベース１２０から選択された他の利用者を検索部１０５によって検索し、出力装置１３０に、検索された他の利用者に関する情報を表示させるための表示情報を送信部１０６によって送信することができる。したがって、出力装置１３０においては、利用者と同様の音声情報が選択された他の利用者を表示することができる。これによって、利用者は、自身と同様の音環境で生活している他の利用者を知ることができる。
【００３９】
また、本実施の形態の音声情報選択装置１００によれば、音声選択部１０４によって選択された音声情報と同様の音声情報が選択された期間に他の利用者が位置していた地点の位置情報を検索部１０５によって検索し、出力装置１３０の表示部に表示された地図情報上に、検索された位置情報に基づいて、同様の音声情報が選択された期間に他の利用者が位置していた地点を表示させるための表示情報を送信部１０６によって送信することができる。したがって、出力装置１３０においては、表示部に表示された地図情報上に、利用者と同様の音声情報が選択された他の利用者の位置を示すことができる。これによって、利用者は、自身と同様の音環境で生活している他の利用者の位置を知ることができる。
【００４０】
また、本実施の形態の音声情報選択装置１００によれば、受付部１０７によって、出力装置１３０の表示部に表示された他の利用者のうちの、通信をおこないたい通信者の選択を利用者から受け付け、接続部１０８によって受け付けられた通信者との通信を接続することができる。したがって、利用者と同様の音声情報が選択された他の利用者と、利用者とを通信させることができる。これによって、利用者は、生活における音環境が似ている、自身と気の合いそうな相手と通信をおこなうことができる。
【００４１】
また、本実施の形態の音声情報選択装置１００によれば、集計部１０９によって、複数の前記利用者の、音声選択部１０４によって選択された音声情報を集計し、分析部１１０によって、集計された音声情報に基づいて、各利用者のライフスタイルを分析することができる。したがって、複数の利用者の生活における音環境を比較することで、各利用者のライフスタイルを分析することができる。これによって、たとえば市場調査に用いる資料を生成することができる。
【００４２】
また、本実施の形態の音声情報選択装置１００によれば、分析部１１０によって分析された分析結果に基づいて、管理部１１１によって利用者の健康状態の管理をおこなうことができる。したがって、健康を害した利用者や健康を害しそうな利用者を判断することができる。これによって、利用者は、自身の健康を害した理由を知ったり、健康を害する前に対策をたてたりすることができる。
【実施例】
【００４３】
以下に、本発明の実施例について説明する。本実施例では、たとえば、音声情報データベースに接続されたサーバによって本発明の音声情報選択装置を実施し、利用者の自宅などに設置された端末によって本発明の出力装置を実施した場合の一例について説明する。
【００４４】
（システムの概要）
まず、図３を用いて、本実施例にかかる通信システムの概要について説明する。図３は、本実施例にかかる通信システムの概要について示す説明図である。図３に示すように、通信システム３００は、サーバ３０１と、端末３２０〜３２２と、から構成されている。図３においては、端末３２０〜３２２が３台示されているがこれに限るものではない、端末３２０〜３２２は、２台でもよいし、４台以上でもよい。また、サーバ３０１と端末３２０〜３２２、各端末３２０〜３２２同士は、インターネット３３０を介して接続されている。なお、サーバ３０１は、各データベース３１１〜３１７と、有線または無線により接続されていてもよいし、インターネット３３０を介して接続されていてもよい。
【００４５】
データベースとしては、環境音ＤＢ（データベース）３１１、天候ＤＢ３１６、イベントＤＢ３１７などが挙げられる。環境音ＤＢ３１１は、複数の利用者に対して、各地点において各利用者が外部から遮音されていない状況の際に聴取可能な音声情報をジャンル毎に記録している。すなわち、環境音ＤＢ３１１には、各利用者がそれぞれの土地で生活していることを実感することのできるような音声情報が記録されている。なお、環境音ＤＢ３１１は、サーバ３０１に含まれていてもよい。
【００４６】
環境音ＤＢ３１１のジャンルとしては、たとえば鳥や虫の声ＤＢ３１２、車両の往来音ＤＢ３１３、人の往来音ＤＢ３１４、子供の声ＤＢ３１５などが挙げられる。鳥や虫の声ＤＢ３１２は、詳細は後述するが、鳥や虫などの各種類に対しての生態系、およびそれぞれの鳥や虫の季節や時刻に応じた鳴き声に関する情報である。車両の往来音ＤＢ３１３は、具体的には、幹線道路などの比較的交通量の多い道路の位置情報、およびそれぞれの道路の曜日や時刻に応じた交通量に関する情報である。人の往来音ＤＢ３１４は、たとえば商店街の位置情報、および曜日や時刻に応じた人の多さに関する情報である。子供の声ＤＢ３１５は、たとえば通学路に関する位置情報、および登下校の時刻に関する情報である。
【００４７】
また、天候ＤＢ３１６は、具体的には、たとえば、現在の日時における天気（晴れ、雨、雪など）、気温、湿度、風速などの気象要素に関する情報を記録している。イベントＤＢ３１７は、具体的には、たとえば、祭りや運動会などの各地域における催事に関する情報が記録されている。
【００４８】
サーバ３０１は、各端末３２０〜３２２から取得した現在の日付や利用者の固有情報に基づいて、天候ＤＢ３１６やイベントＤＢから、現在の天気に関する情報や利用者の所望する催事に関する情報を取得する。そして、環境音ＤＢ３１１に記録されている音声情報の中から、各端末３２０〜３２２から取得した利用者の現在地点の位置情報および現在地点に利用者が位置している期間、天候ＤＢ３１６やイベントＤＢ３１７などから取得した情報に関連付けられた音声情報を選択し、各端末３２０〜３２２に送信する。
【００４９】
また、サーバ３０１は、各端末３２０〜３２２の利用者が選択された音声情報と同様の音声情報が音声情報データベース１２０から選択された他の利用者を検索する。また、サーバ３０１は、各端末３２０〜３２２の利用者が選択された音声情報と同様の音声情報が選択された期間に他の利用者が位置していた地点の位置情報を検索してもよい。さらに、サーバ３０１は、利用者と同様の音声情報が選択された他の利用者に関する情報を端末３２０〜３２２に表示させるための表示情報を、各端末３２０〜３２２に送信してもよい。そして、サーバ３０１は、利用者から、他の利用者のうちの、通信をおこないたい通信者の選択を受け付けた場合、受け付けられた通信者との通信を接続するようにしてもよい。すなわち、サーバ３０１は、利用者と通信者との通信の仲介をおこなってもよい。
【００５０】
また、サーバ３０１は、各端末３２０〜３２２から各利用者が選択された音声情報を集計し、集計された音声情報に基づいて、各端末３２０〜３２２の利用者のライフスタイルを分析してもよい。さらに、分析された分析結果に基づいて、各利用者の健康状態の管理をおこなってもよい。
【００５１】
端末３２０〜３２２は、たとえば利用者の固有情報を受け付ける。利用者の固有情報は、利用者の家族構成、利用者の趣味や嗜好、利用者の心理状態などに関する情報である。そして、インターネット３３０を介してサーバ３０１にこれらの情報を送信する。端末３２０〜３２２は、サーバ３０１から受信した音声情報を出力する。また、各端末３２０〜３２２は、サーバ３０１から音声情報の出力のタイミングに関する情報を受信した場合は、出力のタイミングに関する情報に基づいて、音声情報を出力する。
【００５２】
また、各端末３２０〜３２２は、サーバ３０１から受信した表示情報に基づいて、各利用者と同様の音声情報が選択された他の利用者に関する情報をディスプレイに表示してもよい。このとき、ディスプレイに地図情報を表示し、この地図情報上に重畳して各利用者と同様の音声情報が選択された期間に他の利用者が位置していた地点を表示してもよい。さらに、各端末３２０〜３２２は、ディスプレイに表示された他の利用者のうちの、通信をおこないたい通信者の選択を各利用者から受け付けてもよい。
【００５３】
（サーバのハードウェア構成）
つぎに、本実施例にかかるサーバ３０１のハードウェア構成について説明する。図４は、本実施例にかかるサーバのハードウェア構成を示すブロック図である。図４において、サーバ３０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、通信Ｉ／Ｆ（インターフェース）４０８と、を備えている。各構成部４０１〜４０８は、バス４２０によってそれぞれ接続されている。
【００５４】
まず、ＣＰＵ４０１は、サーバ３０１の全体の制御を司る。ＲＯＭ４０２は、ブートプログラム、データ更新プログラム、天気判断プログラム、イベント検索プログラム、音声情報選択プログラム、音声再生タイミング生成プログラム、音声情報分析プログラム、健康状態管理プログラムなどのプログラムを記録している。また、ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、サーバ３０１の全体の制御を司る。
【００５５】
天気判断プログラムは、各端末３２０〜３２２から取得された利用者の現在地点の位置情報および現在の日時に基づいて、天候ＤＢ３１６から、利用者の現在地点における現在の天気を判断させる。ここで、天気は、詳細は後述するが、晴れ、雨、雪などの空模様や、気温、湿度、風量などの気象要素に関する情報である。
【００５６】
イベント検索プログラムは、各端末３２０〜３２２から取得された利用者の現在地点の位置情報および利用者の固有情報に基づいて、利用者の現在地点が含まれる地域で開催される予定の催事に関する情報や、利用者が所望する催事に関する情報を検索させる。
【００５７】
音声情報選択プログラムは、環境音ＤＢ３１１の各ジャンルのＤＢから、利用者が現在地点にいることを実感できる音声情報を選択させる。音声情報選択プログラムは、具体的には、利用者の現在地点の位置情報や現在地点に位置している期間、現在の天気、現在の日付に関連付けられた音声情報を選択させる。また、音声情報選択プログラムは、利用者の現在地点が含まれる地域に関連付けられた音声情報を、利用者の現在地点において利用者が外部から遮音されていない状況で聴取不可能な音声情報であっても選択させてよい。
【００５８】
音声再生タイミング生成プログラムは、音声再生タイミングプログラムを生成させる。音声再生タイミングプログラムには、音声情報選択プログラムによって選択させられた各音声情報を各端末３２０〜３２２で出力させるタイミングに関する情報が含まれている。音声再生タイミングプログラムには、各音声情報を出力させる季節や時間帯などが組み込まれている。
【００５９】
音声情報分析プログラムは、各端末３２０〜３２２から各利用者が選択された音声情報を集計させ、集計された音声情報に基づいて、各端末３２０〜３２２の利用者のライフスタイルを分析させる。ライフスタイルとは、たとえば、各利用者がどのような音環境で生活しているのかという情報である。具体的には、たとえば季節ごとや曜日ごとに、平均して１日のうちで何時から何時までは、どこにいて、どのような音声情報を聴取して、どのような生活をしているのかという情報である。また、音声情報分析プログラムは、ライフスタイルが同一の他の利用者を検索させる。すなわち、利用者と同様の音環境で生活している他の利用者を検索させる。また、利用者と同様の音環境に他の利用者が位置していた地点を検索させてもよい。なお、サーバ３０１は、検索結果を利用者の端末３２０〜３２２に表示させる表示情報を各端末に送信させてもよい。
【００６０】
健康状態管理プログラムは、音声情報分析プログラムによって分析された各端末３２０〜３２２の利用者のライフスタイルに基づいて、各利用者の健康状態を管理させる。健康状態の管理とは、具体的には、たとえば、健康を害している利用者同士の音環境における共通点を抽出したり、健康を害していたときの音環境と類似の音環境の利用者を抽出したりさせる。そして、たとえば、抽出された情報に基づいて、各利用者に応じた改善策を提示させてもよい。
【００６１】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００６２】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。着脱可能な記録媒体として、光ディスク４０７のほか、ＭＯ、メモリカードなどであってもよい。
【００６３】
磁気ディスク４０５および光ディスク４０７に記録される情報の一例としては、環境音ＤＢ３１１が挙げられる。なお、環境音ＤＢ３１１は、磁気ディスク４０５および光ディスク４０７に記録されていなくてもよく、たとえばネットワーク上の記録装置などに記録されていてもよい。この場合、後述する通信Ｉ／Ｆ４０８によりネットワークを介して環境音ＤＢ３１１から音声情報を選択し取得する。
【００６４】
また、磁気ディスク４０５および光ディスク４０７に記録される情報の他の一例としては、利用者の固有情報が挙げられる。利用者の固有情報は、あらかじめ端末３２０〜３２２から取得し、磁気ディスク４０５および光ディスク４０７に記録されていてもよい。また、磁気ディスク４０５および光ディスク４０７に記録される情報の他の一例としては、複数の利用者の、環境音ＤＢ３１１から選択された音声情報が記録されていてもよい。複数の利用者の、環境音ＤＢ３１１から選択された音声情報は、環境音ＤＢ３１１から選択された音声情報の履歴でもよいし、季節や曜日ごとに平均して選択された音声情報でもよい。また、磁気ディスク４０５および光ディスク４０７には、音声情報分析プログラムを実行することで分析された各利用者のライフスタイルに関する情報が記録されていてもよい。
【００６５】
通信Ｉ／Ｆ４０８は、無線を介してネットワークに接続され、サーバ３０１とＣＰＵ４０１とのインターフェースとして機能する。通信Ｉ／Ｆ４０８は、さらに、無線を介してインターネット３３０などの通信網に接続され、この通信網とＣＰＵ４０１とのインターフェースとしても機能する。
【００６６】
また、通信Ｉ／Ｆ４０８は、インターネット３３０を介して端末３２０〜３２２に接続され、サーバ３０１と端末３２０〜３２２との情報の授受をおこなわせる。また、通信Ｉ／Ｆ４０８は、有線または無線、ネットワークを介して天候ＤＢ３１６やイベントＤＢ３１７と接続され、天候ＤＢ３１６やイベントＤＢ３１７から情報を受信させる。
【００６７】
（端末のハードウェア構成）
つぎに、本実施例にかかる端末３２０〜３２２のハードウェア構成について説明する。図５は、本実施例にかかる端末のハードウェア構成を示すブロック図である。図５において、端末３２０〜３２２は、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、音声Ｉ／Ｆ５０８と、マイク５０９と、スピーカ５１０と、入力デバイス５１１と、映像Ｉ／Ｆ５１２と、ディスプレイ５１３と、カメラ５１４と、通信Ｉ／Ｆ５１５と、ＧＰＳユニット５１６と、を備えている。各構成部５０１〜５１６は、バス５２０によってそれぞれ接続されている。
【００６８】
まず、ＣＰＵ５０１は、端末３２０〜３２２の全体の制御を司る。ＲＯＭ５０２は、ブートプログラム、データ更新プログラム、音声再生タイミングプログラム、通信者位置表示プログラムなどのプログラムを記録している。また、ＲＡＭ５０３は、ＣＰＵ５０１のワークエリアとして使用される。すなわち、ＣＰＵ５０１は、ＲＡＭ５０３をワークエリアとして使用しながら、ＲＯＭ５０２に記録された各種プログラムを実行することによって、端末３２０〜３２２の全体の制御を司る。
【００６９】
音声再生タイミングプログラムは、サーバ３０１から受信し、端末３２０〜３２２において実行させることで、利用者が現在地点にいることを実感できるタイミングで音声情報を出力させることができる。
【００７０】
通信者位置表示プログラムは、ディスプレイ５１３に表示された地図情報上に、サーバ３０１によって検索された、利用者と同様の音環境で生活している他の利用者が位置している地点を重畳して表示させる。
【００７１】
磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。磁気ディスク５０５としては、たとえば、ＨＤ（ハードディスク）やＦＤ（フレキシブルディスク）を用いることができる。
【００７２】
また、光ディスクドライブ５０６は、ＣＰＵ５０１の制御にしたがって光ディスク５０７に対するデータの読み取り／書き込みを制御する。光ディスク５０７は、光ディスクドライブ５０６の制御にしたがってデータが読み出される着脱自在な記録媒体である。光ディスク５０７は、書き込み可能な記録媒体を利用することもできる。着脱可能な記録媒体として、光ディスク５０７のほか、ＭＯ、メモリカードなどであってもよい。
【００７３】
磁気ディスク５０５および光ディスク５０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。
【００７４】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００７５】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。
【００７６】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。
【００７７】
磁気ディスク５０５および光ディスク５０７に記録される情報の他の一例としては、サーバ３０１において選択され送信された、利用者が現在地点にいることを実感することのできる環境音が挙げられる。
【００７８】
音声Ｉ／Ｆ５０８は、音声入力用のマイク５０９および音声出力用のスピーカ５１０に接続される。マイク５０９に受音された音声は、音声Ｉ／Ｆ５０８内でＡ／Ｄ変換される。スピーカ５１０からは、所定の音声信号を音声Ｉ／Ｆ５０８内でＤ／Ａ変換した音声が出力される。なお、マイク５０９から入力された音声は、音声データとして磁気ディスク５０５あるいは光ディスク５０７に記録可能である。なお、スピーカ５１０は、利用者の耳に装着するヘッドフォンでもよい。
【００７９】
入力デバイス５１１は、文字、数値、各種指示などの入力のための複数のキーを備えたリモコン、キーボード、タッチパネルなどが挙げられる。入力デバイス５１１は、リモコン、キーボード、タッチパネルのうちいずれか１つの形態によって実現されてもよいが、複数の形態によって実現することも可能である。入力デバイス５１１の操作により利用者の固有情報や端末３２０〜３２２の設置されている室内の階数に関する情報が受け付けられる。
【００８０】
映像Ｉ／Ｆ５１２は、ディスプレイ５１３に接続される。映像Ｉ／Ｆ５１２は、具体的には、たとえば、ディスプレイ５１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ５１３を制御する制御ＩＣなどによって構成される。
【００８１】
ディスプレイ５１３には、アイコン、カーソル、メニュー、ウインドウ、あるいは文字や画像などの各種データが表示される。ディスプレイ５１３には、上述した地図データが、２次元または３次元に描画される。ディスプレイ５１３に表示された地図データには、自装置の利用者と同様の音声情報が環境音ＤＢ３１１から選択された他の利用者が位置している地点をあらわすマークなどを重ねて表示することができる。
【００８２】
ディスプレイ５１３としては、たとえば、ＣＲＴ、ＴＦＴ液晶ディスプレイ、プラズマディスプレイなどを用いることができる。ディスプレイ５１３は、たとえば、車両のダッシュボード付近に設置される。ディスプレイ５１３は、車両のダッシュボード付近のほか、車両の後部座席周辺などに設置するなどして、車両において複数設置されていてもよい。
【００８３】
カメラ５１４は、室内または車両内の映像を撮影する。映像は静止画あるいは動画のどちらでもよく、たとえば、カメラ５１４によって室内または車両内の利用者の挙動を撮影し、撮影した映像を映像Ｉ／Ｆ５１２を介して磁気ディスク５０５や光ディスク５０７などの記録媒体に出力する。窓を撮影し、画像解析によって窓の開閉状態を検知してもよい。また、記録媒体に出力された映像は、上書き記録や保存がおこなわれる。
【００８４】
通信Ｉ／Ｆ５１５は、無線を介してネットワークに接続され、端末３２０〜３２２とＣＰＵ５０１とのインターフェースとして機能する。通信Ｉ／Ｆ５１５は、さらに、無線を介してインターネット３３０などの通信網に接続され、この通信網とＣＰＵ５０１とのインターフェースとしても機能する。また、通信Ｉ／Ｆ５１５は、インターネット３３０を介してサーバ３０１に接続され、サーバ３０１と端末３２０〜３２２との情報の授受をおこなわせる。また、通信Ｉ／Ｆ５１５は、インターネット３３０を介して他の端末と接続され、自装置の利用者と同様の音声情報が環境音ＤＢ３１１から選択された他の利用者の有する端末との通信をおこなわせてもよい。
【００８５】
ＧＰＳユニット５１６は、ＧＰＳ衛星からの電波を受信し、利用者の現在地点を示す位置情報を出力する。ＧＰＳユニット５１６の出力情報は、ＣＰＵ５０１による利用者の現在地点の算出に際して利用される。現在地点を示す位置情報は、たとえば緯度・経度、高度などの、地図データ上の１点を特定する情報である。
【００８６】
図１に示した音声情報選択装置１００が備える利用者情報取得部１０１、位置取得部１０２、期間取得部１０３、音声選択部１０４、検索部１０５、送信部１０６、受付部１０７、接続部１０８、集計部１０９、分析部１１０、管理部１１１は、図４に示したサーバ３０１におけるＲＯＭ４０２、ＲＡＭ４０３、磁気ディスク４０５、光ディスク４０７などに記録されたプログラムやデータを用いて、ＣＰＵ４０１が所定のプログラムを実行し、サーバ３０１における各部を制御することによってその機能を実現する。また、図１に示した出力装置１３０は、図５に示した端末３２０〜３２２におけるＲＯＭ５０２、ＲＡＭ５０３、磁気ディスク５０５、光ディスク５０７などに記録されたプログラムやデータを用いて、ＣＰＵ５０１が所定のプログラムを実行し、端末３２０〜３２２における各部を制御することによってその機能を実現する。
【００８７】
すなわち、実施例のサーバ３０１は、サーバ３０１における記録媒体としてのＲＯＭ４０２に記録されている音声情報選択プログラムを実行することにより、図１に示した音声情報選択装置１００が備える機能を、図２に示した音声情報選択処理手順で実行することができる。
【００８８】
（サーバの処理の内容の一例）
つぎに、サーバ３０１の処理の内容の一例について説明する。図６は、サーバの処理の内容を示すフローチャートである。なお、図６においては、たとえば端末３２０を利用者の有する端末とする。図６のフローチャートにおいて、まず、端末３２０から利用者の現在地点の位置情報を取得する（ステップＳ６０１）。
【００８９】
ついで、ステップＳ６０１において取得された利用者の現在地点に利用者が位置している期間を取得する（ステップＳ６０２）。なお、ステップＳ６０１およびステップＳ６０２の処理は、利用者が一日の間に位置している全地点に対して位置情報を取得し、各地点に位置している期間を取得してもよい。
【００９０】
そして、ステップＳ６０１およびステップＳ６０２において取得された利用者が各地点に位置している期間に関連付けられた音声情報を環境音ＤＢ３１１から選択する（ステップＳ６０３）。また、利用者の固有情報を取得する（ステップＳ６０４）。ステップＳ６０４においては、たとえば端末３２０〜３２２から各利用者の固有情報を取得する。そして、ステップＳ６０４において取得された利用者の固有情報に応じた音声情報をイベントＤＢ３１７から選択する（ステップＳ６０５）。
【００９１】
つぎに、音声情報分析プログラムを実行して、ステップＳ６０３およびステップＳ６０５において選択された音声情報と、同様の音声情報が選択された他の利用者がいるか否かを判断する（ステップＳ６０６）。ステップＳ６０６において同様の音声情報が選択された他の利用者がいない場合（ステップＳ６０６：Ｎｏ）、そのまま一連の処理を終了する。
【００９２】
一方、ステップＳ６０６において同様の音声情報が選択された他の利用者がいる場合（ステップＳ６０６：Ｙｅｓ）、端末３２０に他の利用者に関する情報を表示させるための表示情報を送信する（ステップＳ６０７）。ステップＳ６０７においては、他の利用者に関する情報の一覧を表示させるための表示情報を送信してもよいし、出力装置１３０の表示部に表示された地図情報上に、利用者と同様の音声情報が選択された期間に他の利用者が位置していた地点を表示させるための表示情報を送信してもよい。
【００９３】
そして、端末３２０から通信者の選択を受け付けたか否かを判断する（ステップＳ６０８）。ここで、通信者とは、たとえばステップＳ６０７において送信された表示情報に応じて端末３２０のディスプレイ５１３に表示された他の利用者のうちの、利用者が通信を所望する者である。
【００９４】
ステップＳ６０８において通信者の選択を受け付けない場合（ステップＳ６０８：Ｎｏ）、そのまま一連の処理を終了する。一方、ステップＳ６０８において通信者の選択を受け付けた場合（ステップＳ６０８：Ｙｅｓ）、ステップＳ６０８において受け付けられた通信者と利用者との回線を接続して（ステップＳ６０９）、一連の処理を終了する。
【００９５】
なお、図６のフローチャートにおいては、ステップＳ６０８において通信者の選択を受け付けたか否かを判断しているが、これに限るものではない。具体的には、たとえば、ステップＳ６０８の処理を省略し、ステップＳ６０９においては、ステップＳ６０６において判断された、利用者と同様の音声情報が選択された他の利用者の全てと利用者との回線を接続してもよい。
【００９６】
（サーバの処理の内容の他の一例）
つぎに、サーバ３０１の処理の内容の他の一例について説明する。図７は、サーバの処理の内容の他の一例を示すフローチャートである。図７のフローチャートにおいて、ステップＳ７０１〜ステップＳ７０５における処理は、図６のステップＳ６０１〜ステップＳ６０５とそれぞれ同様のため、説明を省略する。
【００９７】
つぎに、音声情報分析プログラムを実行して、複数の利用者の、ステップＳ７０３およびステップＳ７０５において選択された音声情報を集計する（ステップＳ７０６）。そして、ステップＳ７０６において集計された各利用者のライフスタイルを分析する（ステップＳ７０７）。さらに、健康状態管理プログラムを実行して、ステップＳ７０７において分析されたライフスタイルに基づいて、各利用者の健康状態を管理して（ステップＳ７０８）、一連の処理を終了する。
【００９８】
なお、図７のフローチャートにおいては、ステップＳ７０７において各利用者のライフスタイルを分析する際に、性別、年齢別、家族構成、居住地域などに応じて分析してもよい。この場合、ステップＳ７０８を省略して、ステップＳ７０７において分析された各利用者のライフスタイルに基づいて、市場調査に用いる情報を生成してもよい。
【００９９】
また、図７のフローチャートにおいては、ステップＳ７０８の後に、健康を害した利用者または健康を害しそうな利用者に、改善策を提示するようにしてもよい。なお、ステップＳ７０６およびステップＳ７０７においては、たとえば同一の企業に勤務する複数の社員の健康状態を管理するようにしてもよい。
【０１００】
（環境音ＤＢの一例）
つぎに、環境音ＤＢ３１１の一例について説明する。図８は、環境音ＤＢの一例について示す説明図である。図８に示すのは、図３に示す環境音ＤＢ３１１のうちの鳥や虫の声ＤＢ３１２である。
【０１０１】
サーバ３０１は、たとえば、利用者の現在地点が含まれる地域が本州の農村の場合、地理的分布要素における生態系分布が「本州」で、環境要件分布が「農村」であるＡＡ目ａａ科Ａａ種の鳥と、ＣＣ目ｃｃ科Ｃｃ種の鳥との鳴き声に関する音声情報（ＡＡａａＡａ００１およびＣＣｃｃＣｃ００１）を選択する。ここで、たとえば現在の天気が曇りの場合、上記２種の音声情報から、天候要素が「曇り」であるＡＡ目ａａ科Ａａ種の鳥の鳴き声に関する音声情報（ＡＡａａＡａ００１）をさらに選択する。また、たとえば現在の日時が夏の夕方の場合、時間的分布要素における気候が「夏」で、時間帯が「午後」であるＣＣ目ｃｃ科Ｃｃ種の鳥の鳴き声に関する音声情報（ＣＣｃｃＣｃ００１）をさらに選択する。
【０１０２】
なお、サーバ３０１は、たとえば時間的分布要素に関わらず、ＡＡ目ａａ科Ａａ種の鳥と、ＣＣ目ｃｃ科Ｃｃ種の鳥との鳴き声に関する音声情報（ＡＡａａＡａ００１およびＣＣｃｃＣｃ００１）を選択してもよい。この場合、時間的分布要素に基づいて、音声再生タイミングプログラムを生成し、端末３２０においてＡＡ目ａａ科Ａａ種の鳥またはＣＣ目ｃｃ科Ｃｃ種の鳥の鳴き声が聞こえる気候および時間帯に鳴き声に関する音声情報（ＡＡａａＡａ００１およびＣＣｃｃＣｃ００１）が出力されるようにすればよい。
【０１０３】
また、鳥や虫の声ＤＢ３１２におけるイベント要素は、たとえば地理的分布要素、時間的分布要素および天候要素が合致した場合に、常に鳴き声が聞こえる場合、「定期」であるとし、たとえば年に一回の祭事や運動会などのときに鳴き声が聞こえない場合、「不定期」であるとする。
【０１０４】
（他の利用者に関する情報の表示の一例）
つぎに、図９を用いて、端末３２０〜３２２における利用者と同様の音声情報が選択された他の利用者に関する情報の表示の一例について説明する。図９は、利用者と同様の音声情報が選択された他の利用者に関する情報の表示の一例について示す説明図である。図９においては、利用者の現在地点９０１と、利用者と同様の音声情報が選択された期間に他の利用者が位置していた地点９０２と、を示している。図９に示すように、端末３２０〜３２２の備えるディスプレイ５１３に表示された地図情報上に、利用者と同様の音声情報が選択された期間に他の利用者が位置していた地点９０２が重畳して表示される。そして、利用者と同様の音声情報が選択された期間に他の利用者が位置していた地点９０２のうちの、入力デバイス５１１によって利用者に選択された地点に応じた他の利用者が通信者となる。
【０１０５】
上述したように、実施例の通信システム３００によれば、サーバ３０１によって、端末３２０〜３２２の各利用者の固有情報、利用者の位置していた各地点における位置情報および各地点に位置していた期間に関連付けられた音声情報を環境音ＤＢ３１１から選択することができる。そして、任意の利用者と同様の音声情報が環境音ＤＢ３１１から選択された他の利用者を検索し、任意の利用者の端末が備えるディスプレイ５１３に表示させることができる。これによって、利用者は、自身と同様の音環境で生活している他の利用者を知ることができる。
【０１０６】
また、実施例の通信システム３００によれば、サーバ３０１によって、端末３２０〜３２２から通信者の選択を受け付けた場合、通信者と利用者との通信を接続することができる。これによって、利用者は、自身と同様の音環境で生活している他の利用者とコミュニケーションを取ることができる。
【０１０７】
さらに、実施例の通信システム３００によれば、サーバ３０１によって各端末３２０〜３２２の利用者の、環境音ＤＢ３１１から選択された音声情報を集計し、ライフスタイルを分析することができる。そして、市場調査に用いる情報を生成する際に、分析された各利用者のライフスタイルを用いることができる。さらに、サーバ３０１は、分析された各利用者のライフスタイルに基づいて、各利用者の健康状態を管理することができる。これによって、利用者は、健康を害した理由を知ったり、健康を害する前に対策をたてたりすることができる。
【０１０８】
以上説明したように、本発明の音声情報選択装置、音声情報選択方法、音声情報選択プログラムおよび記録媒体によれば、利用者の生活における音環境をデータベースから選択することができる。また、利用者に、自身と同様の音環境で生活している他の利用者とコミュニケーションを取らせることができる。
【０１０９】
なお、本実施の形態で説明した音声情報選択方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１１０】
１００  音声情報選択装置
１０１  利用者情報取得部
１０２  位置取得部
１０３  期間取得部
１０４  音声選択部
１０５  検索部
１０６  送信部
１０７  受付部
１０８  接続部
１０９  集計部
１１０  分析部
１１１  管理部
１２０  音声情報データベース
１３０  出力装置
【図１】
2010198501.tif 000003
【図２】
2010198501.tif 000004
【図３】
2010198501.tif 000005
【図４】
2010198501.tif 000006
【図５】
2010198501.tif 000007
【図６】
2010198501.tif 000008
【図７】
2010198501.tif 000009
【図８】
2010198501.tif 000010
【図９】
2010198501.tif 000011